(57)【特許請求の範囲】
【請求項１】
糸によって編み目を構成した防虫ネットにおいて、この防虫ネットを構成する糸は、その断面形状が変形された変形部と変形されていない非変形部とを備え、変形部と非変形部との外観の相違によって防虫ネットに模様が形成されたことを特徴とする防虫ネット。
【請求項２】
糸によって編み目を構成した防虫ネットにおいて、この防虫ネットを構成する糸は、防虫ネットの形成後に加圧及び／又は加熱による変形がなされることにより、その断面形状が変形されていない非変形部と、非変形部より偏平になった変形部とを備え、変形部と非変形部との外観の相違によって防虫ネットに模様が形成されたことを特徴とする防虫ネット。
【請求項３】
請求項１又は２記載の防虫ネットと、この防虫ネットの周囲を支持する枠部とを備え、この防虫ネットは、模様が形成された後に枠部に張設されたものであることを特徴とする防虫網戸。
【発明の詳細な説明】
【０００１】
【発明の属する技術分野】
本願発明は、防虫ネット及び防虫網戸に関するものである。
【０００２】
【従来の技術】
従来より、防虫ネット及び防虫網戸については、ネットに模様を形成することによって、そのデザイン性を向上させることが行なわれている。
例えば、特開昭５５−１２２０４４号においては、細線からなる補助糸を織り込んで模様を形成したものが提案され、特開昭５３−１２１４３号、実開平４−７２１９２号、実開平５−６７７９６号等においては、シルクスクリーン等の印刷や塗料吹き付けによって模様を形成したものが提案されている。さらに刺繍を施したもの（実用新案登録第３０７０３２７号）、樹脂コーティングを施したもの（実用新案登録第３００５５１１号）、柄付きレース地によって模様を施したもの（実開平２−１１２８９９号）等も提案されている。
ところが、印刷、塗料吹き付け、樹脂コーティングの場合には、ネットの編み目がインクや塗料等で詰まってしまうおそれがあり、また、ネットを清掃洗浄を頻繁に行なうと、インクや塗料等が剥げてしまうおそれがある。また、刺繍や柄付きレース地は、加工工程が複雑となり、コスト高、量産性に劣るという欠点がある。
【０００３】
【発明が解決しようとする課題】
しかして、本願発明は、清掃洗浄を繰り返し行なっても柄や模様が剥げてしまうおそれがなく、また、模様の形成によって編み目が詰まってしまうおそれを減少させることができ、さらに、少ない加工工程で且つ低コストで生産できる防虫ネット及びこのネットを用いた防虫網戸を提供せんとするものである。
【０００４】
【課題を解決するための手段】
そこで本願の第１の発明は、糸によって編み目を構成した防虫ネットにおいて、この防虫ネットを構成する糸は、その断面形状が変形された変形部と変形されていない非変形部とを備え、変形部と非変形部との外観の相違によって防虫ネットに模様が形成されたことを特徴とする防虫ネットを提供することにより、上記の課題を解決する。
本願の第２の発明は、糸によって編み目を構成した防虫ネットにおいて、この防虫ネットを構成する糸は、防虫ネットの形成後に加圧及び／又は加熱による変形がなされることにより、その断面形状が変形されていない非変形部と、非変形部より偏平になった変形部とを備え、変形部と非変形部との外観の相違によって防虫ネットに模様が形成されたことを特徴とする防虫ネットを提供する。
本願の第３の発明は、請求項１又は２記載の防虫ネットと、この防虫ネットの周囲を支持する枠部とを備え、この防虫ネットは、模様が形成された後に枠部に張設されたものであることを特徴とする防虫網戸を提供する。
尚、本願発明において、模様とは、図柄の他、文字、図形、記号を含むもので、防虫ネットに施される視覚的な表示を言う。
【０００５】
【発明の実施の形態】
以下、図面に基づき本願発明の実施の形態を説明する。
図１は本願発明の実施の形態に係る防虫網戸の正面図であり、図２は図１の要部拡大図である。
【０００６】
この防虫網戸は、防虫ネット１（以下、単にネットという）と、ネット１の周囲を支持する枠部２とを備える。枠部２は、網戸の一般の構造を採用でき、ネット１を支持して張設できるものであればよい。防虫網戸の全体の形状は適宜変更でき、窓に用いるものであってもよく、出入り口に開閉可能に設けるものであってもよい。
【０００７】
本例において、ネット１は、多数の緯糸と経糸とを、防虫効果を発揮する所定の間隔で織って編み目３を設けたものであるが、編地によって構成してもよい。各糸の材質は、熱可塑性の合成樹脂製が適当であるが、他の合成樹脂であってもよく、金属製であってもよく、金属の芯材に合成樹脂を被覆したもの等、後述の模様形成のための加工が可能であることを条件に種々の材料を利用できる。
【０００８】
このネット１には、模様４が形成される。この模様４は、ネット１を構成する糸５に、加圧及び／又は加熱による変形部５１を設けることによって、形成されたものである。即ち、図２に示すように、変形部５１においては、糸の非変形部５２に比して若干偏平になっており、図１に示すように、変形部５１全体によってネット１に模様４が表現される。なお、変形部５１をネット全体に施し、その一部を非変形部５２とすることによって（言うなれば非変形部５２によって）模様を形成することもできる。
【０００９】
この模様４は、次の方法によって形成される。まず、常法に従い無模様のネット１を製作する。この無模様のネット１を図３に示す加工装置によって加工する。この加工装置は、加工ローラ６と押圧ローラ７とを備え、両ローラ６、７間にネット１を通すことによって、模様４を加工するものである。加工ローラ６は、表面に模様を形成するための凸部６１が形成されたものであり、押圧ローラ７は表面が平滑となっている。両ローラ６、７は所定の力にて加圧され、ネット１を凸部６１で押圧して、糸を変形させる。また、両ローラ６、７のうち、少なくとも何れか一方（図３の例では下方の加工ローラ）をバーナー８等で加熱しておき、圧力と同時に熱を糸に加えて変形させることもできる。また加熱手段は、バーナーの他、電気を利用した発熱体としてもよく、ローラ内部に配位したり、或いは、ローラ自体を発熱させるようにしてもよい。また、ネットを送りながら両ローラ６、７間の加圧条件を変更することによって、模様に濃淡を付けることもでき、さらに無模様の部分を設けることもできる。この加工装置をネットの送り方向に複数設けることによって、より複雑な模様を形成することもできる。
尚、上記の例では、ローラ形状の金型を用いて連続模様をネットに形成したが、平面的な金型によって、糸を変形させてもよく、超音波加工によって変形させることもできる。また、ネット１の形成前の糸の段階で、糸を全部又は一部変形させ、その糸によってネットを形成することによって、模様を設けるようにしてもよい。さらに、ネット形成前或いは形成後の糸に、染色、印刷、塗料塗布等の他の模様形成手段を併用することもできる。
【００１０】
【発明の効果】
以上、本願発明にあっては、防虫ネットを構成する糸に、加圧及び／又は加熱による変形を施して模様を形成するものであるため、清掃洗浄を繰り返し行なっても柄や模様が剥げてしまうおそれが皆無である。また、模様の形成によって編み目が詰まってしまうおそれを減少させることができ、さらに、少ない加工工程で且つ低コストで生産できる防虫ネット及びこれを用いた防虫網戸を提供することができたものである。特に、防虫ネットの形成後に加圧及び／又は加熱による変形を行なうことにより、通常の無模様のネットに簡単に模様を形成することができ、低コストでネットの付加価値を向上させることができるものである。
【図面の簡単な説明】
【図１】本願発明の実施の形態に係る防虫網戸の正面図である。
【図２】図１の要部拡大図である。
【図３】本願発明の実施の形態に係る防虫ネットの加工装置の要部斜視図である。
【符号の説明】
１    防虫ネット
２    枠部
３    編み目
４    模様
５    糸
５１  変形部
５２  非変形部
【図１】
0003702219.tif 000002
【図２】
0003702219.tif 000003
【図３】
0003702219.tif 000004